(57)【要約】【課題】削除したデータを簡単に元に復活させる。【解決手段】ディスクにデータを記録するとき、記録領域が足りていない場合に（Ｓ２５でＹＥＳ）、記録領域において再生不可能状態に指定されている削除済み番組データファイルの番組タイトル一覧が表示される（Ｓ３３）。ユーザは一覧表示を見て外部入力操作して所望のファイルを選択する（Ｓ３９、Ｓ４３）。選択された番組データファイルはディスクの記録領域から消去される（Ｓ４５）。これにより記録領域が確保される。また、削除済み番組データファイルについて、ユーザが外部操作して再生不可能状態の指定解除の入力をすると、再生可能な元の状態に復活する。復活は、単なる指定の解除によりなされて記録領域におけるファイルの移動を伴わないので、この復活に際して装置にかかる負荷を抑えることができる。【選択図】        図６
2004355705.tif 000002
【特許請求の範囲】
【請求項１】
ディスクにデータを記録するとき、記録領域が足りていない場合に、予め指定されている１つ以上の消去候補のデータ群から、所定のデータ群を選択するための消去データ選択手段と、
前記消去データ選択手段により選択されたデータ群を前記記録領域から消去するデータ消去手段と、
前記消去候補に指定されているデータ群について、外部からの指定解除の入力に従い該指定を解除する消去候補解除手段と、
前記１つ以上の消去候補のデータ群のタイトルを一覧表示する消去候補タイトル表示手段と、
前記ディスクの記録領域に格納された複数のデータ群それぞれに対応して、前記消去候補指定および消去候補指定解除のいずれかを示す設定変更可能なフラグデータとを備えて、
前記消去候補の１つ以上のデータ群は、前記ディスクの記録領域に格納された複数のデータ群のうち、外部からの入力に基づき消去候補と指定されたことにより読出しが不可能な状態に設定されているデータ群であり、
前記消去データ選択手段は、消去候補と指定された時期に基づいて、前記１つ以上の消去候補のデータ群から前記所定のデータ群を選択する時期選択手段、または外部からの入力指示に基づいて、前記１つ以上の消去候補のデータ群から前記所定のデータ群を選択する指示選択手段を有し、
データ群はテレビジョン放送信号による番組データである、ディスク記録装置。
【請求項２】
ディスクにデータを記録するとき、記録領域が足りていない場合に、予め指定されている１つ以上の消去候補のデータ群から、所定のデータ群を選択するための消去データ選択手段と、
前記消去データ選択手段により選択されたデータ群を前記記録領域から消去するデータ消去手段と、
前記消去候補に指定されているデータ群について、外部からの指定解除の入力に従い該指定を解除する消去候補解除手段とを備えて、
前記消去候補の１つ以上のデータ群は、前記ディスクの記録領域に格納された複数のデータ群のうち、外部からの入力に基づき消去候補と指定されたことにより読出しが不可能な状態に設定されているデータ群であることを特徴とする、データ記録装置。
【請求項３】
前記消去データ選択手段は、消去候補と指定された時期に基づいて、前記１つ以上の消去候補のデータ群から前記所定のデータ群を選択する時期選択手段を有する、請求項２に記載のディスク記録装置。
【請求項４】
前記消去データ選択手段は、外部からの入力指示に基づいて、前記１つ以上の消去候補のデータ群から前記所定のデータ群を選択する指示選択手段を有する、請求項２に記載のディスク記録装置。
【請求項５】
前記ディスクの記録領域に格納された複数のデータ群それぞれに対応して、前記消去候補指定および消去候補指定解除のいずれかを示す設定変更可能なフラグデータを有することを特徴とする、請求項２から４のいずれか１項に記載のディスク記録装置。
【請求項６】
前記１つ以上の消去候補のデータ群のタイトルを一覧表示する消去候補タイトル表示手段をさらに備える、請求項２から５のいずれか１項に記載のディスク記録装置。
【請求項７】
データ群は、ＴＶ信号による番組データであることを特徴とする、請求項２から６にいずれか１項に記載のディスク記録装置。
【発明の詳細な説明】
【０００１】
【発明の属する技術分野】
この発明はＤＶＤ（ｄｉｇｉｔａｌ  ｖｅｒｓａｔｉｌｅ  ｄｉｓｃ），ＨＤ（ｈａｒｄ  ｄｉｓｃ）などのディスクにデータを記録するためのディスク記録装置に関し、特に、記録領域の空き領域が不足する場合に記録済みのデータを消去して空き領域を確保するディスク記録装置に関する。
【０００２】
【従来の技術】
従来のＨＤＤレコーダは一般的には録画されたファイルについて一度削除操作をすると二度と再生することができない。
【０００３】
ＨＤＤレコーダにおける録画ファイルの削除方法では、新しいデータの書込に伴い削除されるファイルを選択するための基準がユーザ側で任意に設定できるものがある（たとえば、特許文献１を参照）。
【０００４】
また、記録媒体への書込をするときに、記録媒体の空き領域の不足を番組情報、記録媒体の記録状況および番組予約状況を含む番組管理情報の参照によって予測する方法も提案されている（たとえば、特許文献２を参照）。
【０００５】
また、番組を書込むための記録媒体の空き容量が存在しない場合には、既に録画されている番組の中から、所定基準に基づいて消去すべき番組を決定し、消去された番組はごみ箱に移動されて空き容量が確保される場合に、消去のためにごみ箱に移動した番組のデータは所定方法において再生可能な状態に復活させるような方法も提案されている（たとえば特許文献３を参照）。
【０００６】
【特許文献１】
特開２００１−１２６４４９号公報
【０００７】
【特許文献２】
特開２００１−１６０２６４号公報
【０００８】
【特許文献３】
特開２００１−２５７９５０号公報
【０００９】
【発明が解決しようとする課題】
上述した従来の技術では、一度、録画ファイルを削除すると削除した録画ファイルはごみ箱に転送され、ユーザの所望に応じてごみ箱から読出されるけれども、ファイルの実体そのものがごみ箱に転送されたり、ごみ箱から読出されたりしているので、システムの負荷が重くなる。
【００１０】
それゆえにこの発明の目的は、削除したデータを簡単に元に復活させることのできるディスク記録装置を提供することである。
【００１１】
【課題を解決するための手段】
この発明のある局面に従うと、ディスク記録装置は、ディスクにデータを記録するとき、記録領域が足りていない場合に、予め指定されている１つ以上の消去候補のデータ群から、所定のデータ群を選択するための消去データ選択手段と、消去データ選択手段により選択されたデータ群を記録領域から消去するデータ消去手段と、消去候補に指定されているデータ群について、外部からの指定解除の入力に従い該指定を解除する消去候補解除手段とを備えて、消去候補の１つ以上のデータ群は、ディスクの記録領域に格納された複数のデータ群のうち、外部からの入力に基づき消去候補と指定されたことにより読出しが不可能な状態に設定されているデータ群である。
【００１２】
したがって、外部入力に基づき消去候補と指定されて記録領域からの読出しが不可能な状態にあるデータ群は、外部から指定解除を入力するだけで、消去候補解除手段により指定解除されて読出しが可能な元の状態に復活できる。
【００１３】
このような読出可能状態への復活は、単なる指定の解除によりなされて記録領域におけるデータ群の移動を伴わないので、この復活に際して装置にかかる負荷を抑えることができる。
【００１４】
好ましくは、消去データ選択手段は、消去候補と指定された時期に基づいて、１つ以上の消去候補のデータ群から所定のデータ群を選択する時期選択手段を有する。
【００１５】
したがって、１つ以上の消去候補データ群から消去するデータ群の選択を、各データ群が消去候補として指定された時期、たとえばより以前に候補指定されたデータ群、または最近に候補指定されたデータ群などを選択することができる。
【００１６】
好ましくは、消去データ選択手段は、外部からの入力指示に基づいて、１つ以上の消去候補のデータ群から所定のデータ群を選択する指示選択手段を有する。
【００１７】
したがって、１つ以上の消去候補データ群から消去するデータ群の選択を、外部からの入力指示、たとえばユーザが外部から入力したユーザの要望に応じて選択することができる。
【００１８】
好ましくは、ディスクの記録領域に格納された複数のデータ群それぞれに対応して、消去候補指定および消去候補指定解除のいずれかを示す設定変更可能なフラグデータをさらに備える。
【００１９】
したがって、各データ群についての消去候補指定または消去候補指定解除は、対応のフラグデータの設定を変更することで実現できる。
【００２０】
好ましくは、１つ以上の消去候補のデータ群のタイトルを一覧表示する消去候補タイトル表示手段をさらに備える。
【００２１】
したがって、表示される消去候補タイトル一覧を確認することで、タイトルに基づいて、予め指定されている１つ以上の消去候補のデータ群から所定のデータ群を消去のために選択できる。
【００２２】
好ましくは、データ群はテレビジョン信号による番組データである。
この発明の他の局面に従うディスク記録方法は、予め準備されたディスクにデータを記録するとき、記録領域が足りていない場合に、予め指定されている１つ以上の消去候補のデータ群から、所定のデータ群を選択するための消去データ選択ステップと、消去データ選択ステップにより選択されたデータ群を記録領域から消去するデータ消去ステップと、消去候補に指定されているデータ群について、外部からの指定解除の入力に従い該指定を解除する消去候補解除ステップとを備えて、消去候補の１つ以上のデータ群は、前記ディスクの記録領域に格納された複数のデータ群のうち、外部からの入力に基づき消去候補と指定されたことにより読出しが不可能な状態に設定されているデータ群である。
【００２３】
【発明の実施の形態】
以下、この発明の各実施の形態について図面を参照して説明する。ここでは、ディスクに記録される対象を放送信号により受信した番組データであり、番組データは所定大きさのデータ群として、例えばファイル単位としてディスクに記録されると想定しているが、ファイル単位に限定されない。また記録対象とされるデータは番組データに限定されない。また記録対象のディスクはここではＨＤとしているがＨＤに限定されずＤＶＤであってもよい。
【００２４】
（実施の形態１）
図１において、ＨＤＤ記録装置２０はアンテナ１、チューナ２、エンコーダ３、ＭＰＵ（ｍｉｃｒｏ  ｐｒｏｃｅｓｓｏｒ  ｕｎｉｔ）４、ＲＡＭ（ｒａｎｄｏｍ  ａｃｃｅｓｓ  ｍｅｍｏｒｙ）５、ＨＤＤ（ｈａｒｄ  ｄｉｓｃ  ｄｅｖｉｃｅ）６、デコーダ７、外部のＴＶ（ｔｅｌｅｖｉｓｉｏｎ）受像機１０（図示せず）などを接続するための外部Ｉ／Ｆ（ｉｎｔｅｒｆａｃｅ）８、および操作部９を備える。
【００２５】
図２にはＨＤＤ６における番組データファイルに関する情報の格納内容例が示される。図２に示すようにＨＤＤ６のディスクは記録領域Ｅ１とＥ２を含む。記録領域Ｅ１には各番組に対応した番組データファイルＦｊ（ｊ＝１、２、３、…、ｍ）が格納される。各番組データファイルＦｊは対応の番組データを構成するためのデータを含み、対応の番組データのディスク書込の最小単位、たとえばセクタ単位毎のセクタデータＳＣｉ（ｉ＝１、２、３、…、ｍ）を複数個含む。
【００２６】
記録領域Ｅ２には、ＴＩＤ（Ｔｉｍｅ  Ｉｎｄｅｘ  Ｄａｔａ）群５Ａ、ナビゲーションリスト３Ａおよび削除済みリスト４Ａが格納される。ＴＩＤ群５Ａは、記録領域Ｅ１の各番組データファイルＦｊに対応して図３（Ａ）のようにＴＩＤｊ（ｊ＝１、２、３、…、ｍ）を含む。ＴＩＤｊは図３（Ｂ）のように対応の番組のタイトルを示す番組タイトルデータ５０と、対応の番組データファイルＦｊを構成するセクタデータＳＣｉのそれぞれに対応して、該セクタデータＳＣｉをアドレス指定するための記録領域Ｅ１におけるアドレスデータＡＤｉ（ｉ＝１、２、３、…、ｎ）とを含む。
【００２７】
ナビゲーションリスト３Ａは、図４（Ａ）に示すように記録領域Ｅ１に格納されている番組データファイルＦｊであって、かつ常時、再生可能な状態にあるものそれぞれを一意に示すためのＴＩＤ番組データ３０、３１、３２、３３、…を含む。したがってナビゲーションリスト３Ａの各ＴＩＤ番号データを用いて検索することによりＴＩＤ群５Ａの対応の番組データファイルＦｊを指定できる。
【００２８】
削除済みファイルリスト４Ａは、図４（Ｂ）に示すようにナビゲーションリスト３Ａから削除された１つ以上のＴＩＤ番号データと、各ＴＩＤ番号データに対応して、該ＴＩＤ番号データがナビゲーションリスト３Ａから削除されて削除済みファイルリスト４Ａに登録された日時を示す登録日時データＤＴとを含む。
【００２９】
記録領域Ｅ２のＴＩＤ群５Ａ、ナビゲーションリスト３Ａおよび削除済みファイルリスト４Ａは、ＨＤＤ記録装置２０が電源ＯＮされると、ＨＤＤ６から読出されＲＡＭ５に転送されるので、電源ＯＮされている期間はＭＰＵ４はＲＡＭ５中のこれら情報を参照できるから、ＨＤＤ６をアクセスする場合に比較して高速に処理を実行することができる。電源ＯＦＦされるときにはＲＡＭ５のこれら情報は元のＨＤＤ６の記録領域Ｅ２に転送されてここに保存される。
【００３０】
ここでは、記録領域Ｅ１の番組データファイルＦｊに対応のナビゲーションリスト３ＡのＴＩＤ番組データをコピーして削除済みリスト４Ａに登録することを番組データファイルＦｊの削除と称する。また削除済みリスト４Ａに格納されているＴＩＤ番号データに対応の番組データファイルＦｊの実体データそのものを記録領域Ｅ１から消去して空き領域（新たな記録可能領域）を生成することを、番組データファイルＦｊの消去と称する。削除済みリスト４Ａに格納されているＴＩＤ番号データに対応の番組データファイルＦｊは、消去の候補として指定されていることを示し、後述する復活は、該消去候補の指定が解除されることを示す。
【００３１】
次に、ＨＤＤ記録装置２０において、ＴＶ放送信号を受信して、番組データを記録する動作について説明する。なお、番組データは映像データまたは音声データの少なくとも一方を含むと想定している。
【００３２】
まず、ユーザは操作部９を操作して、所望する番組の放送チャンネルを指定する。ここでは、ユーザが情報を入力するために操作可能に設けられる操作部９として、たとえばＨＤＤ記録装置２０に一体的に設けられたキーボードやスイッチパネルを想定しているが、これに代替して、図示されないリモートコントローラを設けて該リモートコントローラがユーザ手元で操作されて、ＨＤＤ記録装置２０はリモートコントローラから操作信号を変調した赤外線信号を受信して、指示された操作内容を取得するようにしてもよい。このようにして指定されたチャンネルの情報は、ＭＰＵ４に与えられる。ＭＰＵ４は指定されたチャンネルに基づいてチューナ２を制御する。
【００３３】
アンテナ１では放送局から送信されるＴＶ信号を受信しているのでチューナ２はアンテナ１で受信されて出力されるＴＶ信号２を入力して、入力したＴＶ信号のうちからＭＰＵ４の制御のもとに指定チャンネルに対応のＴＶ信号を抽出して出力する。
【００３４】
エンコーダ３は、チューナ２により出力されたＴＶ信号を入力して、たとえばＭＰＥＧ（ｍｏｔｉｏｎ  ｐｉｃｔｕｒｅ  ｅｘｐｅｒｔｓ  ｇｒｏｕｐ）に従いエンコードして、エンコードされた番組データはＭＰＵ４の制御の下にＨＤＤ６のディスクの記録領域Ｅ１にセクタデータＳＣｉ毎に記録されて番組データファイルＦｊとして格納される。このとき、ＭＰＵ４は格納した番組データファイルＦｊについてのＴＩＤｊを作成してＴＩＤ群５Ａに記録する。また、ＴＩＤ群５Ａに記録したＴＩＤｊを指示するＴＩＤ番号データをナビゲーションリスト３Ａに追加登録する。ナビゲーションリスト３ＡのＴＩＤ番号データおよびＴＩＤ群５ＡのＴＩＤｊは対応の番組データファイルＦｊがその後に消去されるときに消去される。
【００３５】
一方、ＨＤＤ６のディスクに格納された番組データファイルを再生する動作について説明する。ユーザが操作部９を操作して所望の番組データファイルを指定して再生を指示するとＭＰＵ４はこの指示を入力して、指示された番組データファイルをＨＤＤ６から読出す。読出された番組データはデコーダ７に与えられて、ここでＭＰＥＧに従いデコード処理され、元のＴＶ信号に復号されて外部Ｉ／Ｆを介してＴＶ受像機１０に出力され、ここで画像表示されたり音声出力されたりする。
【００３６】
次に、記録領域Ｅ１に格納された番組データファイルＦｊのうちから、ユーザの要求に従う番組データファイルを削除済みファイルとして管理する手順について図５のフローチャートに従い説明する。
【００３７】
図５の手順に従う番組データファイルＦｊの削除のタイミングは番組データの記録領域Ｅ１に対する録画開始または録画中に行なわれる。
【００３８】
まずユーザが操作部９を操作して、番組データファイルＦｊの削除の要求を入力すると（ステップＳ５でＹＥＳ）、ＭＰＵ４はこの要求を受理して、ＲＡＭ５のナビゲーションリスト３Ａを参照してＴＩＤ番号データ３０、３１、３２、３３、…それぞれについて、ＴＩＤ群５Ａの対応のＴＩＤｊを検索して、検索したＴＩＤｊの番組タイトルデータ５０を読出して、外部Ｉ／Ｆ８を介してＴＶ受像機１０に表示する。これにより、削除の対象となり得る番組データファイルＦｊの番組タイトルデータ５０による番組タイトルが一覧表示される（ステップＳ１０）。
【００３９】
ユーザは、表示された削除候補の番組タイトル一覧から所望の番組タイトルを操作部９を介して指定すると（ステップＳ１５でＹＥＳ）、ＭＰＵ４は、指定された番組タイトルのＴＩＤ番号データをナビゲーションリスト３Ａにて特定して、特定したＴＩＤ番号データを、削除済みリスト４Ａに、そのときの日時を示す登録日時データＤＴと対応付けて追加登録する（ステップＳ２０）。これにより、録画における番組データファイルの削除処理を終了する。
【００４０】
たとえば、図４（Ａ）のナビゲーションリスト３Ａにて特定されるＴＩＤ番組データ３２は、矢印線Ｒ１に示されるように図４（Ｂ）の削除済みリスト４Ａに移動されて、ここに追加登録される。したがって、ナビゲーションリスト３ＡからはこのＴＩＤ番号データ３２は削除（消去）される。
【００４１】
次に、番組データの録画開始時または録画処理中にＨＤＤ６における記録領域Ｅ１のＦｕｌｌ状態（すなわち、新たな番組データを記録するための記録領域が不足している状態）を検出すると削除済みファイルリスト４Ａに登録されたＴＩＤ番号データに対応の番組データファイルＦｊを記録領域Ｅ１から消去して、その結果生じる新たな記録領域を番組データファイルの記録に提供するための手順について図６を参照して説明する。
【００４２】
まず、録画処理が開始されると、ＭＰＵ４はＨＤＤ６の記録領域Ｅ１において、今回録画する番組データファイルのための記録領域が足りているか、すなわち番組データファイルのための記録可能な領域（空き領域）があるか否かを判定する（ステップＳ２５）。
【００４３】
具体的にはＲＡＭ５のＴＩＤ群５Ａの各ＴＩＤｊを参照して、使用されているセクタデータＳＣｉのトータルが示す使用済み記録領域の大きさと、記録領域Ｅ１についての記録可能な領域の最大の大きさとの差分が、今回記録する番組データファイルのために必要とされる記録領域の大きさを超えているか否かにより判定する。
【００４４】
記録領域Ｅ１には番組データファイルＦｊについての記録可能領域が残されておりＦｕｌｌ状態ではないと判定されると（ステップＳ２５でＮＯ）、受信した該番組データについてセクタデータＳＣｉ毎に記録領域Ｅ１において通常の録画処理がされる（ステップＳ２７）。このとき、ＭＰＵ４は番組放送信号と共に受信しているＥＰＧ（Ｅｌｅｃｔｒｉｃ  Ｐｒｏｇｒａｍ  ｇｕｉｄｅ）データから、該番組のタイトルを読出す。そして読出した番組のタイトルを示す番組タイトルデータ５０と、該番組について記録されたセクタデータＳＣｉのそれぞれに対応したアドレスデータＡＤｉを有するＴＩＤｊを作成し、ＴＩＤ群５Ａに格納する。また、該番組データの録画終了後には、作成されたＴＩＤｊを指示するためのＴＩＤ番号データをナビゲーションリスト３Ａに登録する（ステップＳ２７）。
【００４５】
一方、記録領域Ｅ１には今回の録画番組の番組データファイルＦｊのための記録可能領域は残されておらずＦｕｌｌ状態であると判定されると（ステップＳ２５でＹＥＳ）、ＭＰＵ４はＲＡＭ５の削除済みリスト４Ａを参照して削除済みの番組データファイルＦｊが登録されているか否かを判定する（ステップＳ２９）。何も登録されていなければ（ステップＳ２９でＮＯ）、警告メッセージをＴＶ受像機１０に表示する（ステップＳ３１）。たとえば、“ディスクはデータがいっぱいで、この番組の録画はできない”を報知する旨のメッセージを出力する。このメッセージは、画像表示によるものであってもよいし、音声出力によるものであってもよい。
【００４６】
一方、削除済みリスト４Ａに１つ以上のＴＩＤ番号データが記録されていたならば（ステップＳ２９でＹＥＳ）、記録領域を確保するために消去の対象となる番組データファイルＦｊの番組タイトルデータ５０をＴＶ受像機１０に一覧表示する（ステップＳ３３）。
【００４７】
具体的には、ＭＰＵ４はＲＡＭ５の削除済みリスト４Ａに格納されているＴＩＤ番号データに基づいてＴＩＤ群５Ａを検索して、該当のＴＩＤｊの番組タイトルデータ５０を読出して、外部Ｉ／Ｆ８を介してＴＶ受像機１０に一覧表示する。
【００４８】
消去候補の番組データファイルＦｊの番組タイトルの一覧を確認したユーザは、消去する番組データファイルＦｊを指定するために、対応の番組タイトルを指定する。この指定は通常モード（登録日時データＤＴに従う指定）によるものと（ステップＳ３５でＹＥＳ）非通常モードによるものと（ステップＳ３５でＮＯ）のいずれかにより行なわれる。通常モードである場合はステップＳ３５でＹＥＳ）、ＭＰＵ４はＲＡＭ５の削除済みリスト４Ａの対応の登録日時データＤＴの最も古い日時を示しているＴＩＤ番号データを特定して、特定されたＴＩＤ番号データに基づいてＴＩＤ群５を検索して、該当するＴＩＤｊの複数のセクタデータＳＣ１〜ＳＣｎのアドレスＡＤ１〜ＡＤｎに基づいて、記録領域Ｅ１をアクセスして番組データファイルＦｊを検索する（ステップＳ３７）。その後、後述のステップＳ４５の処理に移行する。
【００４９】
一方、非通常モードである場合は（ステップＳ３５でＮＯ）ユーザは消去すべき番組データファイルＦｊを独自に指定する（ステップＳ３９）。つまり、ユーザはステップＳ３３で一覧表示されている番組タイトルの一覧を参照して、消去に関するユーザ独自のプライオリティを設定する。たとえば、タイトルデータ５０に“ニュース”を含む番組データファイルＦｊと指定したり、データサイズが最大である番組データファイルＦｊと指定したりすることができる。
【００５０】
ＭＰＵ４は指定されたプライオリティに基づき、該プライオリティに合致する番組データファイルＦｊを記録領域Ｅ１において検索する（ステップＳ４３）。
【００５１】
その後、上述の処理手順において検索した番組データファイルＦｊを記録領域Ｅ１から消去する（ステップＳ４５）。このときＴＩＤ群５Ａの対応のＴＩＤｊ、ナビゲーションリスト３Ａの対応の情報および削除済みリスト４Ａの対応の情報も消去される（ステップＳ４５）。
【００５２】
その後、前述したような新たな番組データについての通常通りの録画処理がなされる（Ｓ４７）。以上で、録画処理を終了する。
【００５３】
ここでは番組データのタイトルを必ず一覧表示して指定するとしたが、タイトル一覧表示を選択的に行なわれるとしてもよい。つまり、タイトル一覧表示するか否かを、ユーザが予め指定しておいて、一覧表示しない場合には、ユーザが操作部９から直接にタイトルを指示入力するようにしてもよい。
【００５４】
また、本実施の形態では、削除して、削除済みリスト４Ａに登録されている再生不可能状態（再生のための読出が不可能な状態）の番組データファイルＦｊを再生可能状態（再生のための読出が可能な状態）に戻すこともできる。これを、復活という。その手順を図７のフローチャートに従い具体的に説明する。
【００５５】
まず、ユーザが操作部９を操作して復活の要求を入力すると（ステップＳ５０でＹＥＳ）、ＭＰＵ４はこの要求を受理して、応じてＲＡＭ５の削除済みリスト４Ａに登録の各ＴＩＤ番号データに基づいてＴＩＤ群５Ａを検索して、該当するＴＩＤｊから番組タイトルデータ５０を読出して、読出された番組タイトルデータ５０によるタイトルをＴＶ受像機１に一覧を表示する（ステップＳ５２）。
【００５６】
ユーザは表示されている番組タイトル一覧を確認して、操作部９を操作して所望の番組のタイトルを指定すると、ＭＰＵ４は指定された番組のタイトルに基づいてＴＩＤ群５Ａを検索して、該当するＴＩＤｊに対応の番組データファイルＦｊを復活させるよう処理する（ステップＳ５５）。
【００５７】
具体的には、検索結果、該当すると判定されたＴＩＤｊを指示するＴＩＤ番号データを削除済みリスト４Ａからナビゲーションリスト３Ａに転送して、ここに追加登録するとともに、削除済みリスト４Ａからは消去する。これにより消去候補の指定が解除される。たとえば、図４（Ｂ）の削除済みリスト４ＡのＴＩＤ番号データ３１は矢印Ｒ２に示すようにナビゲーションリスト３Ａに移動されて（その結果、該ＴＩＤ番号データ３１は削除済みリスト４Ａから消去される）、ナビゲーションリスト３Ａに追加登録される。これにより、ユーザが指定した番組データファイルＦｊの消去候補の指定は解除されて復活（再生可能状態への移行）が完了する（ステップＳ５５）。
【００５８】
ここでも、復活の対象となる番組データのタイトルをタイトル一覧表示して指定したが、タイトル一覧表示をするか否かはユーザが任意に指定できて、一覧表示しない場合には、ユーザが操作部９を操作することにより番組タイトルを直接入力して指定してもよい。
【００５９】
（実施の形態２）
実施の形態１ではナビゲーションリスト３Ａと削除済みリスト４Ａとを別個に準備していたが、本実施の形態にように、ナビゲーションリストに両リストの登録情報を１つにまとめて登録するようにしてもよい。本実施の形態のＨＤＤ記録装置２０の構成は図１に示すものと同様である。ここでは、実施の形態１と異なる部分について説明し、同じ部分の説明は略す。
【００６０】
ＨＤＤ６の記録領域Ｅ２には図８に示すＴＩＤ群５Ａと、ナビゲーションリスト３Ａの情報と削除済みリスト４Ａの情報とを格納しているナビゲーションリスト３ＡＡとが格納される。記録領域Ｅ１の内容は実施の形態１と同様である。
【００６１】
ナビゲーションリスト３ＡＡは図９に示すように、ＴＩＤ番号データ３０、３１、３２、３３、・・・と、これらＴＩＤ番号データのそれぞれに対応してフラグデータＦＬと、登録日時データＤＴとを格納する。フラグデータＦＬは“０”または“１”のいずれか一方の値が設定されて、“０”であるときは対応のＴＩＤ番号データの番組データファイルＦｊは削除されていない（再生可能状態である）ことを示し、“１”であるときは対応のＴＩＤ番号データの番組データファイルＦｊは削除済み（再生不可能状態）であることを示す。登録日時データＤＴは実施の形態１と同様に、対応のＴＩＤ番号データの番組データファイルＦｊが削除されて削除済みファイルとして登録された日時、すなわちフラグデータＦＬが“１”と登録された日時を示す。
【００６２】
本実施の形態で録画ファイルの削除は図１０の手順に従い処理される。図１０の手順は、実施の形態１の図５の処理手順のステップＳ１０とＳ２０の処理内容をステップＳ１０ａとＳ２０ａにそれぞれ変更したものであり、他の手順は図５のそれと同様である。したがって、ここではステップＳ１０ａとＳ２０ａの処理内容を具体的に説明する。
【００６３】
ユーザが削除要求を入力すると（ステップＳ５）、ＭＰＵ４はナビゲーションリスト３ＡＡを検索して、フラグデータＦＬが“０”である対応のＴＩＤ番号データを特定して、特定された各ＴＩＤ番号データに基づいてＴＩＤ群５Ａから該当するＴＩＤｊを検索して、検索されたＴＩＤｊの番組タイトルデータ５０を読出して番組タイトルを一覧表示する（ステップＳ１０ａ）。
【００６４】
その後、タイトル一覧を見たユーザが、削除を所望する番組タイトルを指定すると、指定された番組タイトルのＴＩＤｊを特定し、ナビゲーションリスト３ＡＡを特定されたＴＩＤｊを示すＴＩＤ番号データに基づいて検索して、検索の結果、特定したＴＩＤ番号データに対応のフラグデータＦＬを“１”に設定（変更）して、さらに対応の登録日時データＤＴに日時データを設定する（ステップＳ２０ａ）。
【００６５】
このように、削除済みファイルの登録を、フラグデータＦＬの変更だけで済ませることができる。
【００６６】
本実施の形態で録画処理中の必要に応じた番組データファイルの消去は図１１の手順に従い処理される。図１１の手順は、実施の形態１の図６の処理手順のステップＳ２９とＳ４５の処理内容をステップＳ２９ａとＳ４５ａにそれぞれ変更したものであり、他の手順は図６のそれと同様である。したがって、ここではステップＳ２９ａとＳ４５ａの処理内容を具体的に説明する。
【００６７】
番組データの録画処理に際してＨＤＤ６に関してＦｕｌｌ状態が検出されると、ＭＰＵ４はナビゲーションリスト３ＡＡを検索して削除済みファイルの登録があるか否かを、対応のフラグデータＦＬの“１”に設定されたＴＩＤ番号データが登録されているか否かに基づいて判定する（ステップＳ２９ａ）。
【００６８】
削除済みファイルの登録があれば、その番組タイトルの一覧表示がなされるので、通常モードまたは非通常モード（ユーザ指定のプライオリティに従うモード）に基づき消去対象の番組データファイルが検索される（ステップＳ３３〜ステップＳ４３）。
【００６９】
ＭＰＵ４は検索された番組データファイルＦｊを記録領域Ｅ１から消去するとともに、ナビゲーションリスト３ＡＡにおける対応の情報（ＴＩＤ番号データ、フラグデータＦＬおよび登録日時データＤＴ）を消去し、またＴＩＤ群５Ａにおける対応のＴＩＤｊを消去する（ステップＳ４５ａ）。
【００７０】
本実施の形態で録画ファイル復活は図１２の手順に従い処理される。図１２の手順は、実施の形態１の図７の処理手順のステップＳ５２とＳ５５の処理内容をステップＳ５２ａとＳ５５ａに変更したものであり、他の手順は図７のそれと同様である。したがって、ここではステップＳ５２ａとＳ５５ａの処理内容を具体的に説明する。
【００７１】
ユーザにより復活の要求が入力されると、ＭＰＵ４はナビゲーションリスト３ＡＡを検索して、対応のフラグデータＦＬが“１”であるＴＩＤ番号データを特定し、特定された各ＴＩＤ番号データに基づいてＴＩＤ群５Ａを検索して対応のＴＩＤｊを特定し、特定された各ＴＩＤｊの番組タイトルデータ５０を読出して、タイトル一覧を表示する（ステップＳ５２ａ）。
【００７２】
その後、一覧表示された番組タイトルから所望のタイトルが指定されると、ＭＰＵ４は指定された番組タイトルのＴＩＤｊをＴＩＤ群５Ａにおいて特定して、特定されたＴＩＤｊを指示するＴＩＤ番号データに基づいてナビゲーションリスト３ＡＡを検索して、検索されたＴＩＤ番号データに対応のフラグデータＦＬを“１”から“０”に変更する。これにより復活が完了する。
【００７３】
以上のように本実施の形態では、フラグデータＦＬの値の変更により削除済みファイルとしての登録および削除済みファイルからの復活を行なうことができる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７５】
【発明の効果】
本発明によれば、外部入力に基づき消去候補と指定されて記録領域からの読出しが不可能な状態にあるデータ群は、外部から指定解除を入力するだけで、消去候補解除手段により指定解除されて読出しが可能な元の状態に復活できる。
【００７６】
このような読出可能状態への復活は、単なる指定の解除によりなされて記録領域におけるデータ群の移動を伴わないので、この復活に際して装置にかかる負荷を抑えることができる。
【図面の簡単な説明】
【図１】発明の実施の形態に係るＨＤＤ記録装置の構成図である。
【図２】ディスクの記録内容例を概略的に示す図である。
【図３】（Ａ）と（Ｂ）はＴＩＤ群の例を説明する図である。
【図４】（Ａ）と（Ｂ）はナビゲーションリストと削除済みリストの例を説明する図である。
【図５】録画ファイルの削除手順の一例を示すフローチャートである。
【図６】録画処理手順の一例を示すフローチャートである。
【図７】復活処理手順の一例を示すフローチャートである。
【図８】ディスクの記録内容の他の例を概略的に示す図である。
【図９】ナビゲーションリストの他の例を説明する図である。
【図１０】録画ファイル削除手順の他の例を示すフローチャートである。
【図１１】録画処理手順の他の例を示すフローチャートである。
【図１２】復活処理手順の他の例を示すフローチャートである。
【符号の説明】
１  アンテナ、２  チューナ、３  エンコーダ、４  ＭＰＵ、５  ＲＡＭ、６ＨＤＤ、７  デコーダ、８  外部Ｉ／Ｆ、９  操作部、１０  ＴＶ受像機、２０  ＨＤＤ記録装置、５０  番組タイトルデータ、３Ａ，３ＡＡ  ナビゲーションリスト、４Ａ  削除済みリスト、５Ａ  ＴＩＤ群、ＦＬ  フラグデータ、ＳＣｉ  セクタデータ、ＡＤｉ  アドレスデータ、ＤＴ  登録日時データ。
【図１】
2004355705.tif 000003
【図２】
2004355705.tif 000004
【図３】
2004355705.tif 000005
【図４】
2004355705.tif 000006
【図５】
2004355705.tif 000007
【図６】
2004355705.tif 000008
【図７】
2004355705.tif 000009
【図８】
2004355705.tif 000010
【図９】
2004355705.tif 000011
【図１０】
2004355705.tif 000012
【図１１】
2004355705.tif 000013
【図１２】
2004355705.tif 000014